(57)【要約】【課題】シャッターカーテンを構成するスラットの構造によって、防犯性能を向上させる技術について、防犯性能を向上させるとともに、異音（金属音）の追加的な発生を抑えることを可能とする、新規な技術を提案する。【解決手段】上下方向に連結することでシャッターカーテンを構成するシャッター装置のスラット２０であって、上側のスラット２０の下側連結部２２と下側のスラット２０の上側連結部２１とで構成される連結部４０以外の部位に、補強部材３０を設けるための補強部材保持部２７を構成する。【選択図】図６
2009097219.tif 000002
【特許請求の範囲】
【請求項１】
上下方向に連結することでシャッターカーテンを構成するシャッター装置のスラットであって、
上側のスラットの下側連結部と下側のスラットの上側連結部とで構成される連結部以外の部位に、
補強部材を設けるための補強部材保持部を具備する、シャッター装置のスラット。
【請求項２】
前記補強部材保持部は、その一部が、シャッターカーテンの巻胴を形成した際に、内側に配置されるスラットの閉鎖面の外装面と接触するとともに、前記巻胴の巻き径を規定の値にするためのスラット内側突出部として構成される、
ことを特徴とする請求項１に記載のシャッター装置のスラット。
【請求項３】
前記補強部材保持部は、スラットの幅方向に長い線状の補強部材を保持するものであり、
前記補強部材保持部は、前記補強部材を下側から覆うための保持部立面を具備する、
ことを特徴とする、請求項１又は請求項２に記載のシャッター装置のスラット。
【請求項４】
前記補強部材保持部は、スラットの幅方向に長い線状の補強部材を保持するものであり、
前記補強部材保持部は、前記補強部材を上側から覆うための保持部上面を具備する、
ことを特徴とする、請求項１又は請求項２に記載のシャッター装置のスラット。
【請求項５】
請求項１乃至請求項４のいずれか１項に記載のスラットを備えるシャッター装置。
【発明の詳細な説明】
【技術分野】
【０００１】
本発明は、複数枚のスラットを、各スラットの上部、下部にそれぞれ設けた連結部を回動可能に連結することでシャッターカーテンを形成し、該シャッターカーテンにて建物開口部を閉鎖するシャッター装置に関するものであり、より詳しくは、シャッター装置の防犯性能を高めるためのスラットの構造に関する。
【背景技術】
【０００２】
従来、複数枚のスラットを、各スラット上下部に設けた連結部を回動可能に連結することでシャッターカーテンを形成し、該シャッターカーテンにて建物開口部を閉鎖するシャッター装置に関しては、多くの技術が周知となっている。また、特に、近年では、シャッター装置における更なる防犯性能の向上を図る技術が検討されており、これについて開示する文献も存在する（例えば、特許文献１、及び、特許文献２参照。）。
【０００３】
特許文献１及び特許文献２では、前記各スラットの連結部に、補強部材を挿入することで、金切り鋏、金鋸等の工具を使用しても容易にシャッターカーテンを切断できないようにして防犯性能を高める技術について開示をしている。
【０００４】
また、特許文献１においては、スラット（開閉体構成部材）内に充填材を充填し、該充填材内に補強部材を配設する構成についても開示している。
【０００５】
このように、シャッターカーテンを構成するスラットの構造によって、防犯性能を向上させる技術が提案されているが、従来の文献に開示される技術では、次のような問題があった。
まず、各スラットの連結部に補強部材が挿入される構成では、シャッターカーテンの開閉時にて各スラットが回動する際には、補強部材の外周面がスラットの連結部の内周面に接触し、金属同士が擦れ合うことによる金属音が生じることとなる。また、巻取り式のシャッターカーテンにおいては、従来、巻取り部において、スラット同士の擦れ合いによる金属音が発生するものである。このような従来からの巻取り部における金属音の発生に加え、前記補強部材の挿入に伴う金属音の発生が存在することとなると、シャッターカーテンの開閉時においては、全体として大きな金属音が発生してしまうことになる。また、共鳴により、設置箇所によっては、予期せぬ大きな金属音を発生してしまうことも考えられる。
【０００６】
また、この金属音は、特に夜間や早朝におけるシャッターカーテンの開閉時においては、シャッターカーテンを操作するユーザーに不快な思いをさせてしまうことにもなる。また、近隣の第三者にとっては騒音となって被害を発生させてしまうことにもなり、このことから、ユーザーに夜間等におけるシャッターカーテンの開閉を躊躇させてしまうことも想定される。また、この金属音は、ユーザーにとっては不快な異音として捉えられることも大いに考えられ、ユーザーに故障の疑いを持たせてしまうことや、充分な耐久性がないといった印象を与えてしまうことにもなる。
【０００７】
一方、充填材内に補強部材を配設する構成の場合では、補強部材の配設に伴う金属音の追加的な発生の可能性は少ないものとも考えられるが、各スラットの厚み（板厚）が増すことになるため、シャッターカーテンを巻き取った際の巻胴の径（巻径）が増加してしまうことになる。このことは、巻胴を収容するシャッターケースの大型化を招くとことになり、また、電動式の場合は、シャッターカーテンの重量増に伴う電動モーターの大容量化、手動式の場合は、同じく重量増に伴う操作性の悪化といった不具合をもたらすことになる。
【特許文献１】特開２００５−１２６９５３号公報
【特許文献２】特開２００６−１６１４９３号公報
【発明の開示】
【発明が解決しようとする課題】
【０００８】
本発明は以上の問題点に鑑み、シャッターカーテンを構成するスラットの構造によって、防犯性能を向上させる技術について、防犯性能を向上させるとともに、異音（金属音）の追加的な発生を抑えることを可能とする、新規な技術を提案するものである。
【課題を解決するための手段】
【０００９】
本発明の解決しようとする課題は以上の如くであり、次にこの課題を解決するための手段を説明する。
【００１０】
即ち、請求項１に記載のごとく、
上下方向に連結することでシャッターカーテンを構成するシャッター装置のスラットであって、
上側のスラットの下側連結部と下側のスラットの上側連結部とで構成される連結部以外の部位に、
補強部材を設けるための補強部材保持部を具備することとするものである。
【００１１】
また、請求項２に記載のごとく、
前記補強部材保持部は、その一部が、シャッターカーテンの巻胴を形成した際に、内側に配置されるスラットの閉鎖面の外装面と接触するとともに、前記巻胴の巻き径を規定の値にするためのスラット内側突出部として構成されることとするものである。
【００１２】
また、請求項３に記載のごとく、
前記補強部材保持部は、スラットの幅方向に長い線状の補強部材を保持するものであり、
前記補強部材保持部は、前記補強部材を下側から覆うための保持部立面を具備することとするものである。
【００１３】
また、請求項４に記載のごとく、
前記補強部材保持部は、スラットの幅方向に長い線状の補強部材を保持するものであり、
前記補強部材保持部は、前記補強部材を上側から覆うための保持部上面を具備することとするものである。
【００１４】
また、請求項５に記載のごとく、
請求項１乃至請求項４のいずれか１項に記載のスラットを備えるシャッター装置とするものである。
【発明の効果】
【００１５】
本発明の効果として、以下に示すような効果を奏する。
【００１６】
即ち、請求項１に記載の発明においては、連結部においてスラット同士が回動した場合においても、前記補強部材と上側連結部及び下側連結部との間での金属同士の擦れ合いが生じることがなく、これに伴う異音（金属音）の発生といった不具合を防止できる。また、前記補強部材によってスラット全体としての剪断強度を向上させることができ、防犯性能の向上を図ることができる。
【００１７】
また、請求項２に記載の発明においては、前記空間や巻き径について所望の設計寸法を実現しつつ、補強部材保持部を設けることが可能となり、例えば、既存のスラットに本実施形態のスラットの構造を適用する場合においても、既存の巻き径を拡大することなく、維持したままでの適用が可能となる。
【００１８】
また、請求項３に記載の発明においては、補強部材を下側から覆い隠すことで目立たなくすることができる。
【００１９】
また、請求項４に記載の発明においては、補強部材を上側から覆い隠すことで目立たなくすることができる。
【００２０】
また、請求項５に記載の発明においては、防犯性能の優れたシャッター装置を構成することができる。また、上記のように巻胴の巻き径を拡大させることなく既存のシャッター装置に適用可能となるため、収容ケースの設計変更等を必要とすることなく本発明を適用できる。
【発明を実施するための最良の形態】
【００２１】
次に、図面を参照して本発明に係るシャッター装置の実施の形態を説明する。
図１に示すごとく、シャッター装置１は、例えば、窓部１０といった建物開口部に設けられ、ガラス窓１１・１１の室外側をシャッターカーテン２にて閉鎖すべく構成されている。シャッターカーテン２は、窓部１０の室外側において、昇降可能に構成されており、シャッター装置１の上部に配置される収容ケース３内に収容された際には、窓部１０を開放する一方、収容ケース３から下方へ向かって下降することにより、窓部１０を閉塞することとしている。このシャッターカーテン２の昇降は、収容ケース３内に設けた図示せぬモーターによって自動に行われる構成とする場合（電動シャッター）や、手動でシャッター昇降される構成とする場合がある（手動シャッター）。尚、本明細書中において、或る対象物についての室内側とは、その或る対象物よりも建物の室内に近くにある位置を意味し、或る対象物についての室外側とは、その或る対象物よりも建物の室内から遠い位置を意味するものとする。
【００２２】
また、図１に示すごとく、シャッター装置１は、窓部１０の周囲を取り囲むように構成されるものであり、窓部１０の左右側方には、上下方向に立設されるガイドレール４・４が配置されている。また、窓部１０の上方には、左右方向に横設される前記収容ケース３が鉢されている。また、図２に示すごとく、シャッター装置１の外枠９は、前記ガイドレール４・４を取り付けるための縦枠９Ｒ・９Ｌと、前記縦枠９Ｒ・９Ｌの上端部において左右方向に横設される天板９Ｔと、前記縦枠９Ｒ・９Ｌの下端部において左右方向に横設される下枠５とから構成される。また、前記天板９Ｔの下方には、左右方向にまぐさ６が横設されており、該まぐさ６と前記天板９Ｔの間に、シャッターカーテン２の巻胴２４の一部が収容されることとしている。
【００２３】
また、図１に示すごとく、前記ガイドレール４・４は、それぞれの左右方向内側に設けた上下方向のガイド溝部４１によって、前記シャッターカーテン２の左右端部を摺動自在に案内する。これにより、前記ガイドレール４・４を略垂直に昇降させるようにしている。
【００２４】
また、図１に示すごとく、前記下枠５は、前記ガイドレール４・４の下端部となる位置において左右方向に横設されるものであり、前記シャッターカーテン２にて窓部１０を完全に閉鎖する際には、シャッターカーテン２の最下部に配置される幅木部２ａが該下枠５の位置まで到達する。これにより、幅木部２ａと下枠５の間の隙間を閉塞することとし、シャッターカーテン２の閉鎖時において、外部からの前記隙間への工具、手等の挿入を防止することとしている。尚、本実施例では、ガラス窓１１のサッシ枠とシャッター装置１の外枠９とが一体的に構成されて、前記下枠５についてもサッシ枠の機能を果たすこととなるが、ガラス窓１１のサッシ枠とシャッター装置１の外枠９とが別々に構成される場合には、前記下枠５は、サッシ枠と別体に構成されてもよい。
【００２５】
次に、前記シャッターカーテン２を構成するスラットについて説明する。
図３は、スラット２０の側面断面図を示すものであり、該スラット２０は紙面奥行き方向に長い板状の長尺部材である。また、スラット２０の上部には上側連結部２１が構成され、下部には下側連結部２２が構成される。また、前記スラット２０の上側連結部２１と前記下側連結部２２の間は、側面断面視において上下中途部が室外側へ膨出されるような円弧をなす閉鎖面２３にて構成されている。
【００２６】
また、図３及び図４に示すごとく、前記スラット２０は、上下方向に複数連設され、上側に位置するスラット２０の前記下側連結部２２と、下側に位置するスラット２０の前記上側連結部２１とを互いに回動自在に連結することにより、一枚のシャッターカーテン２が構成されることとしている。
【００２７】
また、図５に示すごとく、以上のように構成されたシャッターカーテン２は、収容ケース３内に巻き上げられて、ロール状の巻胴２４を構成して収容されることとしている。
【００２８】
また、図６に示すごとく、前記スラット２０の上側連結部２１においては、前記閉鎖面２３から室内側へ屈曲された後に上方へ立ち上がる第一の屈曲部２１ａと、前記第一の屈曲部の上部から室外方向側へ屈曲される第二の屈曲部２１ｂが形成されている。また、前記上側連結部２１においては、前記第一、第二の屈曲部２１ａ・２１ｂの境界部において上方に向けて突設されて、図６における奥行き方向において板面を構成する突出板部２１ｃが形成されている。尚、本明細書中において、上方とは、図３及び図６における紙面における上方をいうものであり、この図３及び図６における上下関係は、シャッターカーテン２を閉鎖した状態における上下方向の位置関係と同じである。
【００２９】
また、図６に示すごとく、前記スラット２０の下側連結部２２においては、スラット２０の最下部を構成し、前記閉鎖面２３から室内側へと屈曲される第三の屈曲部２２ａと、前記第三の屈曲部２２ａの端部において円形断面を構成する係合端部２２ｂが形成されている。
【００３０】
また、図６に示すごとく、前記上側連結部２１の第二の屈曲部２１ｂの内周面２１ｄは、前記係合端部２２ｂの外周面２２ｃの円弧に摺接すべく、側面断面視において円弧状をなすこととしている。これにより、前記係合端部２２ｂに対して第二の屈曲部２１ｂが回動自在に係合される。以上のようにして、上側のスラット２０の下側連結部２２に対し、下側のスラット２０の上側連結部２１が係合され、これにより上下のスラットの連結部４０が構成され、図３及び図４に示すごとく、各スラット２０が互いに回動自在に連結されるとともに、一枚のシャッターカーテン２が構成されるようになっている。
【００３１】
また、図６に示すごとく、前記スラット２０において、前記下側連結部２２の上方には、図５に示すごとく、シャッターカーテン２が巻胴２４を形成する際に、図７に示すごとく、内側に配置されるスラット２０Ｂの閉鎖面２３Ｂの外装面２３ｂに接触することで、外側に配置されるスラット２０Ａと内側に配置されるスラット２０Ｂとの間に空間２５を確保し、両スラット２０Ａ・２０Ｂの擦れ合いによる傷の発生を防止するための、スラット内側突出部２６が設けられている。また、前記スラット内側突出部２６の突出量は、図５に示すごとく、巻胴２４において、所望の巻き径Ｒが得られるように設計されるものである。
【００３２】
また、図６に示すごとく、前記スラット内側突出部２６の下面２６ａは、前記突出板部２１ｃの先端部２１ｅとの接触を避けるべく、側面断面視において上方に膨らむ円弧状をなすようにしている。これにより、図７に示すごとく巻胴２４が形成される際において、スラット内側突出部２６が前記先端部２１ｅの移動を妨げることがなく、上側連結部２１の下側連結部２２に対する自由な回動が許容されることで、巻き径Ｒ（図５参照）の小さな巻胴２４を形成できることとしている。また、前記下面２６ａと前記先端部２１ｅの接触を避けることとすることで、互いに擦れ合うことによる異音（金属音）の発生を防ぐことができることとなっている。
【００３３】
また、図６に示すごとく、スラット２０において、前記スラット内側突出部２６の突出端２６ｂよりもスラット外表面２０ａ側の位置、換言すれば、図７に示すごとく、巻胴２４を形成した際において、外側に配置されるスラット２０Ａと内側に配置されるスラット２０Ｂとの間に形成される空間２５に収容される位置であって、前記スラット内側突出部２６を挟んで前記下側連結部２２と反対側となる位置には、スラット２０の幅方向に長い線状の補強部材３０を保持するための補強部材保持部２７が構成されることとしている。
【００３４】
図６に示すごとく、この補強部材保持部２７について、本実施形態では、スラット内側突出部２６の突出端２６ｂの手前において保持部立面２７ａを上方に突設するとともに、前記スラット内側突出部２６の上方において閉鎖面２３から保持部上面２７ｂを、スラット内側突出部２６の突出方向と同一方向に突出させることとする。そして、前記スラット内側突出部２６、保持部立面２７ａ、保持部上面２７ｂ、さらに、スラット内側面２０ｂにより、側面断面視において、略Ｕ字状の構造物を構成し、このＵ字の空間２７ｄにて、前記補強部材保持部２７を構成することとしている。
【００３５】
このような構成で、補強部材保持部２７が、スラット同士の連結部４０以外の部位に構成されることになり、特に、本実施例では、前記連結部４０の上方に補強部材保持部２７が配設される構成となっている。なお、「スラット同士の連結部４０以外の部位」について、より詳細には、「前記上側連結部２１の第二の屈曲部２１ｂの内周面２１ｄと、下側連結部２２の係合端部２２ｂの外周面２２ｃとの係合によって形成される連結が形成される部位とは異なる部位」をいうものであり、補強部材保持部２７の配置については、本実施例の他、図６において、前記下側連結部２２の第三の屈曲部２２ａを構成する部位にスラットの幅方向に貫通する穴を設けて補強部材を収容する補強部材保持部を構成することや、同様に、前記上側連結部２１の第一の屈曲部２１ａを構成する部位にスラットの幅方向に貫通する穴を設けて補強部材を収容する補強部材保持部を構成することとしてもよい。すなわち、補強部材保持部２７は、前記内周面２１ｄや、前記外周面２２ｃに対して補強部材３０を接触させない位置に保持する位置に構成されることができ、スラット２０において、前記上側連結部２１の第一の屈曲部２１ａと、前記下側連結部２２の第三の屈曲部２２ａの間のいずれかの部位に、補強部材保持部２７が構成されることができる。
【００３６】
また、図６に示すごとく、本実施形態では、Ｕ字状の補強部材保持部２７とすることで、前記空間２７ｄの室内側に室内側開放部２７ｍが構成されることとするが、前記保持部立面２７ａと保持部上面２７ｂが完全に接続される、若しくは、接触するような断面視円形状の補強部材保持部を構成することとし、前記室内側開放部２７ｍが閉塞されて補強部材３０が完全に遮蔽される構成としてもよい。
【００３７】
また、図６及び図７に示すごとく、上記の補強部材保持部２７の構成においては、その一部が、シャッターカーテン２の巻胴２４を形成した際に、外側に配置されるスラット２０Ａ（図７参照）と内側に配置されるスラット２０Ｂの閉鎖面２３Ｂの外装面２３ｂと接触することで、前記スラット２０Ａ・２０Ｂとの間に規定の空間２５を形成し、前記巻胴２４の巻き径Ｒを規定の値にするためのスラット内側突出部２６として構成されることとするものである。このことによれば、前記空間２５や巻き径Ｒについて所望の設計寸法を実現しつつ前記補強部材保持部２７を構成することが可能となり、例えば、既存のスラットに本実施形態のスラットの構造を適用する場合においても、既存の巻き径を拡大することなく、維持したままでの適用が可能となる。
【００３８】
また、図４及び図６に示すごとく、前記補強部材３０は、スラット２０の幅方向に長い線状の部材であって、その素材は切断が困難なモノであれば良く、例えば、硬質ステンレス、工具鋼、ピアノ線素材等の高い剪断強度を有する素材にて構成されていてもよい。また、前記補強部材３０は、金切り鋏等では容易に切断し難いものとなっている。この補強部材３０によって、比較的剪断強度の低いアルミ等で構成されるスラット２０の剪断に対する防犯性能の向上を図ることができる。
【００３９】
尚、前記補強部材３０は、スラット２０の幅寸法と略同一とする他、スラット２０の幅寸法よりも短いものを直列に複数並べる形態や、また、複数本を束ねて構成されるものであってもよい。このような補強部材３０の設計の自由度は、スラット同士の連結部４０とは異なる箇所（連結部４０以外の部位）に補強部材保持部２７を設けることでもたらされるものである。つまり、連結部４０に補強部材３０を設ける場合は、スラットが回動する際の補強部材の存在に基づく金属音等の発生を考慮しなければならないが、本実施形態によれば、このことを考慮する必要がないのである。
【００４０】
また、図６に示すごとく、前記補強部材保持部２７において、前記保持部立面２７ａを設けることにより、シャッターカーテン２を室内側から見たときに、該保持部立面２７ａにて補強部材３０を下側から覆い隠すことで目立たなくすることができ、補強部材３０を配置した場合においても、補強部材３０を配置しない場合と比較して差異の少ない意匠性を確保することができる。また、この保持部立面２７ａの存在により、スラット２０の全体としての剪断強度を向上することが可能となり、防犯性能の向上を図ることができる。
【００４１】
また、図６に示すごとく、前記補強部材保持部２７において、前記保持部上面２７ｂを設けることにより、シャッターカーテン２を室内側から見たときに、該保持部上面２７ｂにて補強部材３０を上側から覆い隠すことで目立たなくすることができ、補強部材３０を配置した場合においても、補強部材３０を配置しない場合と比較して差異の少ない意匠性を確保することができる。また、この保持部上面２７ｂの存在により、スラット２０の全体としての剪断強度を向上することが可能となり、防犯性能の向上を図ることができる。
【００４２】
また、図８（ａ）に示すごとく、前記補強部材保持部２７において、前記保持部上面２７ｂの端部２７ｃ（図では左側端部）を保持部立面２７ａ側に折り曲げることによれば、前記端部２７ｃによって補強部材３０の抜けを防止することができる。図示せぬ右側端部においても同様とする。このような構成により、ボルト等の別部材からなる部品止めを用いて補強部材３０の抜けを防止する必要がなく、部品点数の削減を図ることができる。尚、この例のように、保持部上面２７ｂを折り曲げることによる他、前記保持部立面２７ａの端部を折り曲げることによって補強部材３０の抜けを防止することも可能であり、さらに、保持部立面２７ａ、保持部上面２７ｂの両方の端部を折り曲げることとしてもよい。もちろん、補強部材３０の抜け防止について、前記部品止めによる構成も可能であるが、さらに望ましい形態として、本実施例のように、保持部上面２７ｂ等のスラット２０の構成部材による補強部材３０の抜け防止の形態とするものである。
【００４３】
また、図８（ａ）（ｂ）に示すごとく、前記下側連結部２２において、その端部２２Ｌを僅かに上方に巻き上げるようにして、その端部２２Ｌにおける前記第三の屈曲部２２ａを上方にすらした位置に配置させることとする。また、前記上側連結部２１において、その端部２１Ｌにおける前記下側連結部２２の端部２２Ｌと同一幅の範囲を切断することとし、スラット２０の左端の端面から内側にずれた位置に、前記上側連結部２１の端面２１Ｌａが形成されることとする。以上のように構成し、に対し、上側のスラット２０の下側連結部２２と下側のスラット２０の上側連結部２１とを係合させた状態で、前記上側連結部２１の端面２１Ｌａが、前記下側連結部２２の第三の屈曲部２２ａの端面２２ｍに当着されるまで、下側のスラット２０を左方向にスライドさせることで、スラット同士を規定の位置において連結することができる。
【００４４】
以上が本実施形態の構成である。
即ち、図３及び図４に示すごとく、上側のスラット２０の下側連結部２２と下側のスラット２０の上側連結部２１とで構成される連結部４０以外の部位に、前記補強部材３０を設けるための補強部材保持部２７を具備する構成とするものである。これにより、前記連結部４０においてスラット２０同士が回動した場合においても、前記補強部材３０と上側連結部２１及び下側連結部２２との間での金属同士の擦れ合いが生じることがなく、これに伴う異音（金属音）の発生といった不具合を防止できる。また、前記補強部材３０によってスラット全体としての剪断強度を向上させることができ、防犯性能の向上を図ることができる。
【実施例１】
【００４５】
図９（ａ）〜（ｅ）は、前記補強部材保持部２７についての他の構成例である。
図９（ａ）では、前記保持部立面２７ａのスラット内側突出部２６からの突出量を大きく構成したものであり、これにより、保持部立面２７ａによって補強部材３０を覆う範囲が拡大され、補強部材３０をより目立たなくすることができることとなる。また、保持部立面２７ａの存在によって、補強部材保持部２７における剪断強度の向上が図られ、これにより、防犯性能の向上を図ることができる。
【００４６】
また、図９（ｂ）では、前記保持部立面２７ａにおいて、前記スラット内側突出部２６から突出した後に、補強部材３０の周囲を取り囲む方向に屈曲させるとともに、前記保持部上面２７ｂを省略した構成とするものである。これにより、保持部立面２７ａのみで補強部材３０を保持する補強部材保持部２７を構成することができ、保持部上面２７ｂを省略できることとなる。
【００４７】
また、図９（ｃ）では、スラット内側突出部２６の突出端２６ｂから、前記保持部上面２７ｂを立設することとして、図６の構成と比較して、保持部上面２７ｂの肉厚が大きくなるように構成するものである。これにより、補強部材保持部２７における剪断強度の向上が図られ、これにより、防犯性能の向上を図ることができる。また、保持部上面２７ｂにおける側面断面視における段差が生じないことから、室内側から見たときに、スッキリとした意匠を構成することが可能となる。
【００４８】
また、図９（ｄ）では、図９（ｃ）の構成において、前記スラット内側突出部２６から突出した後に、補強部材３０の周囲を取り囲む方向に屈曲させるとともに、前記保持部上面２７ｂを省略した構成とするものである。これにより、保持部上面２７ｂのみで補強部材３０を保持する補強部材保持部２７を構成することができ、保持部上面２７ｂを省略できることとなる。また、保持部上面２７ｂにおける側面断面視における段差が生じないことから、室内側から見たときに、スッキリとした意匠を構成することが可能となる。
【００４９】
また、図９（ｅ）では、前記保持部上面２７ｂの室内側への突出量を拡大するとともに、前記補強部材３０を取り囲むように屈曲させる構成とするものである。これにより、保持部上面２７ｂのみで補強部材３０を保持する補強部材保持部２７を構成することができ、保持部立面２７ａを省略できることとなる。
【００５０】
ここで、図７に示すごとく、前記スラット内側突出部２６は空間２５を形成するとともに、図５に示すごとく、巻胴２４について所望の巻き径Ｒを得るために設けられるものであり、この空間２５と巻き径Ｒが確保されるのであれば、前記補強部材保持部２７の構成については、図６及び図９（ａ）〜（ｅ）に示される形態と異なる形態であってもよい。つまり、図９（ｆ）に示すごとく、前記空間２５に含まれる範囲５０内においては、前記補強部材保持部２７の設計は自由であり、上記の例に限定されるものではない。
【００５１】
また、図６及び図９（ａ）〜（ｅ）の例では、スラット内側突出部２６にて補強部材保持部２７の一部を構成する、つまりは、スラット内側突出部２６において補強部材３０を取り囲む壁面を構成することとし、スラット内側突出部２６が補強部材保持部２７を形成する機能を兼ね備えることとした。これによれば、スラット内側突出部２６について、複数の機能を発揮させることができ、スラット２０の構造の複雑化を抑えることが可能となる。
【００５２】
また、上記の例の他、図１０に示すごとく、前記範囲５０内において、前記スラット内側突出部２６の上方に、補強部材３０の下側を保持するための保持用スラット内側突出部４２と、保持部上面４３を具備する補強部材保持部２７Ａを設けることとしてもよい。この構成によれば、前記スラット内側突出部２６と、補強部材保持部２７Ａとが別の位置に構成され、各構成部の設計の自由度を高めることができる。
【実施例２】
【００５３】
本実施例２は、図１１（ａ）（ｂ）に示すごとく、補強部材３０・３０Ａの取り付け方法に関するものである。
上述の例では、前記補強部材３０は、図４に示すごとく、前記補強部材３０は、スラット２０の端面に構成される補強部材保持部２７Ｂから、スラット２０の幅方向に挿入することとするものであるが、本実施例２では、図１１（ａ）（ｂ）に示すごとく、補強部材保持部２７において、側面断面視において室内側へ開放される室内側開放部２７ｍから、補強部材３０・３０Ａを補強部材保持部２７の空間２７ｄ内に挿入することとするものである。
【００５４】
図１１（ａ）の例では、前記補強部材保持部２７を構成する保持部上面２７ｂについて、補強部材３０の挿入に伴って、補強部材保持部２７の室内側開放部２７ｍの開口を大きくできるように撓むことができる構成とする。つまりは、補強部材３０の挿入時において、前記保持部上面２７ｂが弾性変形によって前記室内側開放部２７ｍの開口を広くできることとするとともに、補強部材３０の挿入後は、弾性復帰によって、前記室内側開放部２７ｍの開口を狭くする（元に戻す）こととするものである。具体的には、保持部上面２７ｂの肉厚の設計により、この構成を具現化することができる。
【００５５】
また、図１１（ｂ）の例では、側面断面視略Ｖ字状の補強部材３０Ａを用い、Ｖ字の角度が狭まるように補強部材３０Ａを撓ませることで、前記室内側開放部２７ｍの開口からの挿入を容易に可能とするものである。挿入後においては、補強部材３０Ａは弾性復帰し、空間２７ｄの内周面に当接して固定される。このように、補強部材３０Ａの断面形状の設計により、前記室内側開放部２７ｍの開口からの挿入を可能とすることができ、Ｖ字状の他、例えば、Ｚ字状、Ｍ字といった断面形状も考えられる。
【００５６】
尚、この図１１（ａ）（ｂ）に示される構成例についても、スラットの接続部とは異なる箇所に補強部材保持部２７を設けることで初めて実現可能となるものである。
【産業上の利用可能性】
【００５７】
本発明は、建物開口部に設置されるシャッター装置のシャッターカーテン（スラット）の防犯性能を向上させる構成として、幅広く適用可能である。
【図面の簡単な説明】
【００５８】
【図１】シャッター装置の構成例に示す斜視図。
【図２】シャッター装置の外枠の構成について示す斜視図。
【図３】シャッターカーテンを構成するスラットについて示す側面断面図。
【図４】同じく室内側から見た場合の斜視図。
【図５】巻胴、及び、巻き径について示す側面断面図。
【図６】連結部、及び、補強部材保持部の構成について示す側面断面図。
【図７】巻胴において重なり合うスラット間に空間が確保される構成について示す側面断面図。
【図８】（ａ）は上下のスラットを連結する前の状態等を説明する図。（ｂ）は同じく連結後の状態等を説明する図。
【図９】（ａ）は補強部材保持部の他の構成例について示す図。（ｂ）は同じく他の構成例について示す図。（ｃ）は同じく他の構成例について示す図。（ｄ）は同じく他の構成例について示す図。（ｅ）は同じく他の構成例について示す図。（ｆ）は補強部材保持部を構成可能な範囲について説明する図。
【図１０】補強部材保持部の他の構成例について示す図。
【図１１】（ａ）は補強部材を室内側開放部から挿入可能とする構成について示す側面断面図。（ｂ）は補強部材の側面断面をＶ字状に構成する例について示す図。
【符号の説明】
【００５９】
１    シャッター装置
２    シャッターカーテン
２０  スラット
２０ａ  スラット外表面
２０ｂ  スラット内側面
２１    上側連結部
２２    下側連結部
２３  閉鎖面
２４  巻胴
２６  スラット内側突出部
２７    補強部材保持部
３０  補強部材
４０  連結部
【図１】
2009097219.tif 000003
【図２】
2009097219.tif 000004
【図３】
2009097219.tif 000005
【図４】
2009097219.tif 000006
【図５】
2009097219.tif 000007
【図６】
2009097219.tif 000008
【図７】
2009097219.tif 000009
【図８】
2009097219.tif 000010
【図９】
2009097219.tif 000011
【図１０】
2009097219.tif 000012
【図１１】
2009097219.tif 000013